(57)【特許請求の範囲】
【請求項１】
複数のレンズから構成される光学系と、
前記光学系の一部を構成し、前記光学系の光軸上に配置された撮影位置から前記光軸上から退避した退避位置にスライド移動可能に設けられたスライドレンズと、
前記スライドレンズを軸支する支持部と、
前記支持部に対向して配置され、回転することなく前記光学系の前記光軸方向に直進移動するように設けられた直進部材とを有し、
前記支持部は、前記直進部材が前記光軸方向に移動する場合に前記直進部材の少なくとも一部と当接するカム面が前記軸まわりに螺旋状に形成されていることを特徴とするレンズ鏡筒。
【請求項２】
請求項１に記載されたレンズ鏡筒であって、
前記光学系は、前記複数のレンズが所定の間隔で配置された撮影状態と、
前記複数のレンズが前記所定の間隔よりも狭い間隔で配置された収納状態とに変化可能であり、
前記直進部材は、前記光学系が前記撮影状態から前記収納状態に変化する場合に、前記光学系の像側に移動するように設けられ、
前記支持部は、前記直進部材よりも像側に配置されるとともに、前記光学系が前記撮影状態から前記収納状態に変化する場合に、物体側に移動するように設けられていることを特徴とするレンズ鏡筒。
【請求項３】
請求項２に記載されたレンズ鏡筒であって、
前記支持部は、前記光学系が前記撮影状態から前記収納状態に変化する場合に、物体側に移動した後、像側に移動するように設けられていることを特徴とするレンズ鏡筒。
【請求項４】
請求項１〜３のいずれか一項に記載のレンズ鏡筒を備えた撮影装置。
【発明の詳細な説明】
【技術分野】
【０００１】
本発明は、レンズ鏡筒及びレンズ群を備える撮影装置に関するものである。
【背景技術】
【０００２】
レンズの中心が光軸と一致する撮影位置と、鏡筒長が短縮して沈胴状態に移行する際にレンズの中心が光軸から退避する退避位置と、の間を移動するスライドレンズ群を備える撮影装置がある。このようなスライドレンズ群を退避させる部材は、従来、撮像素子側から突出している（たとえば、特許文献１参照）。
【先行技術文献】
【特許文献】
【０００３】
【特許文献１】特開２００４−２５８６４０号公報
【発明の概要】
【発明が解決しようとする課題】
【０００４】
しかし、撮像素子側から退避部材を突出させる構造は、スペース効率が悪く、撮影装置の小型化の制限となる場合がある。
本発明の課題は、小型化が可能なレンズ鏡筒及び撮影装置を提供することである。
【課題を解決するための手段】
【０００５】
本発明は、以下のような解決手段により前記課題を解決する。
請求項１に記載の発明は、複数のレンズから構成される光学系と、前記光学系の一部を構成し、前記光学系の光軸上に配置された撮影位置から前記光軸上から退避した退避位置にスライド移動可能に設けられたスライドレンズと、前記スライドレンズを軸支する支持部と、前記支持部に対向して配置され、回転することなく前記光学系の前記光軸方向に直進移動するように設けられた直進部材とを有し、前記支持部は、前記直進部材が前記光軸方向に移動する場合に前記直進部材の少なくとも一部と当接するカム面が前記軸まわりに螺旋状に形成されていることを特徴とするレンズ鏡筒である。
請求項２に記載の発明は、請求項１に記載されたレンズ鏡筒であって、前記光学系は、前記複数のレンズが所定の間隔で配置された撮影状態と、前記複数のレンズが前記所定の間隔よりも狭い間隔で配置された収納状態とに変化可能であり、前記直進部材は、前記光学系が前記撮影状態から前記収納状態に変化する場合に、前記光学系の像側に移動するように設けられ、前記支持部は、前記直進部材よりも像側に配置されるとともに、前記光学系が前記撮影状態から前記収納状態に変化する場合に、物体側に移動するように設けられていることを特徴とするレンズ鏡筒撮影装置である。
請求項３に記載の発明は、請求項２に記載されたレンズ鏡筒であって、前記支持部は、前記光学系が前記撮影状態から前記収納状態に変化する場合に、物体側に移動した後、像側に移動するように設けられていることを特徴とするレンズ鏡筒である。
請求項４に記載の発明は、請求項１〜３のいずれか一項に記載のレンズ鏡筒を備えたことを特徴とする撮影装置である。
【０００６】
なお、符号を付して説明した構成は、適宜改良してもよく、また、少なくとも一部を他の構成物に代替してもよい。
【発明の効果】
【０００７】
本発明によれば、小型化が可能なレンズ鏡筒及び撮影装置を提供することができる。
【図面の簡単な説明】
【０００８】
【図１】沈胴状態にあるレンズユニットを含むカメラのＹ軸に沿った縦断面を概念的に示す図である。
【図２】図１からレンズ鏡筒が伸長した撮影待機状態を示す図である。
【図３】沈胴状態にあるレンズユニットの外観斜視図である。
【図４】図３に示すレンズユニットの背面図である。
【図５】図４に示すレンズユニットの背面板を外した背面図である。
【図６】レンズ鏡筒の主要部分の分解斜視図である。
【図７】（ａ）は固定筒の内周面の展開図、（ｂ）は回転筒の内周面の展開図である。
【図８】（ａ）は直進筒の内周面の展開図、（ｂ）はカム筒の内周面の展開図である。
【図９】直進キーと３群レンズ枠との関係を示す斜め前面側から見た分解斜視図であって、（ａ）は撮影待機状態、（ｂ）は沈胴状態を示す。
【図１０】直進キーと３群レンズ枠との関係を示す斜め背面側から見た分解斜視図である。
【図１１】３群レンズ室を前面側から見た斜視図である。
【図１２】３群レンズ室のスライド退避移動を説明する３群レンズ枠を背面側から見た図である。
【図１３】（ａ）は３群レンズ室を前面側から見た図、（ｂ）は（ａ）のＣ‐Ｃ線断面と対応する図である。
【図１４】３群レンズ枠を背面側から見た図である。
【図１５】図１３（ｂ）における矢視Ｄで示す部分の周囲を展開して示す図である。
【図１６】レンズ鏡筒における主要構成要素の撮影待機状態から沈胴状態への移動を説明する概念図である。
【発明を実施するための形態】
【０００９】
以下、図面を参照して、本発明の一実施形態について説明する。図１は、沈胴状態にあるレンズユニット１００を含むカメラ１のＹ軸に沿った縦断面を概念的に示す図である。図２は、図１からレンズ鏡筒１０が伸長した撮影待機状態を示す図である。図３は、沈胴状態にあるレンズユニットの外観斜視図である。図４は、図３に示すレンズユニット１００の背面図である。図５は、図４に示すレンズユニット１００の背面板１２０を外した背面図である。また、図６は、レンズ鏡筒１０の主要部分の分解斜視図である。
【００１０】
なお、各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸ軸プラス方向、正位置において上側に向かう方向をＹ軸プラス方向、正位置において被写体に向かう方向をＺ軸プラス方向とする。
【００１１】
また、以下の説明では、特に言及しない限り、撮影光学系における固定光学系の光軸ＯＡと平行な方向の移動を「直進」、光軸ＯＡ周りの移動を「回転」と称する。さらに、撮影光学系の光軸ＯＡと平行な方向を「前後」とし、被写体側を「前面側」、撮像素子側を「背面側」とそれぞれ称する。
【００１２】
図１および図２に示すカメラ１は、光学的な被写体像を電気信号に変換する撮像素子２１０を備えたデジタルカメラである。なお、本発明は、デジタルカメラに限定されるものではなく、たとえば、レンズ鏡筒、スチルカメラ、ビデオカメラ、携帯電話などであってもよい。カメラ１は、ボディ部１Ａの内部に、レンズユニット１００と、図示しない制御電子基板やバッテリー等を収容して構成されている。
【００１３】
レンズユニット１００は、４組のレンズ群（第１レンズ群Ｌ１，第２レンズ群Ｌ２，第３レンズ群Ｌ３，第４レンズ群Ｌ４）を備えるレンズ鏡筒１０と、ＣＣＤ等の撮像素子２１０を備えるセンサ部２００と、によって構成されている。
【００１４】
レンズ鏡筒１０は、いわゆる沈胴式のズームレンズを構成している。すなわち、不使用時には、図１に示すようにボディ部１Ａの内部に配設されたユニット筐体１１０に収縮して格納され（以下、この状態を沈胴状態と呼ぶ）、使用時には、図２に示すようにユニット筐体１１０（すなわちボディ部１Ａ）から伸長して突出し、撮影可能な状態（撮影待機状態）となり、この撮影待機状態から焦点距離が変化（ズーミング）する。
【００１５】
ユニット筐体１１０は、レンズ鏡筒１０における後述する固定筒１１と、機構収容部１１１とが一体として形成されている。機構収容部１１１は、固定筒１１の背面側端部の側方（Ｘプラス側）に突出しており、光軸ＯＡ方向には所定厚さを有している。ユニット筐体１１０の背面側は開放しており、この開放部は当該ユニット筐体１１０にネジで締着された背面板１２０によって閉塞されている。
【００１６】
背面板１２０は、ユニット筐体１１０の背面側開放部と対応する形状に形成されている。背面板１２０の光軸ＯＡと対応する部位には、撮像素子２１０が装着されるセンサ開口部１２１が形成されている。また、背面板１２０には、沈胴状態時において後述する３群レンズ室３００の３群光軸調整ピン３２０と対応する位置に、３群光軸調整孔１２３が開口形成されている。この３群光軸調整孔１２３は、背面板１２０に装着された後述するセンサ部２００における撮像素子２１０と前後方向において重ならない位置に設定されている。さらに、背面板１２０には、４群レンズ室４０の４群光軸調整ピン４１０と対応する位置に、４群光軸調整孔１２４が開口形成されている。
【００１７】
センサ部２００は、撮像素子２１０がセンサ台２２０に装着されて構成されている。センサ部２００は、センサ台２２０を介して背面板１２０に固定されている。センサ台２２０は、背面板１２０のセンサ開口部１２１に合致してこれを塞ぐ形状となっている。
【００１８】
レンズ鏡筒１０は、ユニット筐体１１０の一部を成す固定筒１１の内部に、回転筒１２と、直進筒１３と、1群直進筒１４と、バリア筒１５とを、順次小径化する多段式に備えている。バリア筒１５の内周側には第１レンズ群Ｌ１を保持する１群レンズ室１６が嵌合し、１群レンズ室１６の内周側にカム筒１７が配設されている。カム筒１７の内周側には第２レンズ群Ｌ２を保持する２群レンズ室１８が配設され、カム筒１７の背面側には直進キー２０が装着されている。
【００１９】
また、２群レンズ室１８の背面側に３群レンズ枠３０と、第４レンズ群Ｌ４を保持する４群レンズ室４０とが光軸ＯＡ方向に直列に配設されている。３群レンズ枠３０は、その内部に第３レンズ群Ｌ３を保持する３群レンズ室を備え、前面にシャッターユニット５０を備えている。バリア筒１５の前面側には、バリア羽根６１を有するバリア機構６０が設けられている。
【００２０】
固定筒１１は、光軸ＯＡ方向に所定長さの円筒状部材であって、ユニット筐体１１０の一部を形成している。
固定筒１１の内周面には、回転筒１２を移動駆動する回転筒駆動ヘリコイド溝１１Ａと、直進筒１３の移動を案内する直進溝１１Ｂとが形成されている。
【００２１】
図７（ａ）は固定筒１１の内周面の展開図、（ｂ）は回転筒１２の内周面の展開図である。回転筒駆動ヘリコイド溝１１Ａは、図７（ａ）に示すように、沈胴状態と撮影待機状態との間で回転筒１２を移動操作する部分（１１ＡＳ〜１１ＡＷの間）は光軸ＯＡに対して所定の一定角度を有して（周方向において光軸ＯＡ方向の位置が変位する螺旋状に）形成されている。この回転筒駆動ヘリコイド溝１１Ａには、回転筒１２の外周に突設された駆動ピン１２Ａが摺動移動可能に嵌合している。なお、図７（ａ）中における符号１１ＡＳは沈胴状態、１１ＡＷは撮影待機状態（すなわち広角側）、１１ＡＴは望遠側においてそれぞれ駆動ピン１２Ａが嵌合する位置である。回転筒駆動ヘリコイド溝１１Ａの、撮影待機状態（広角側端）からズーミングする部分（１１ＡＷ〜１１ＡＴの間）は、光軸方向に変位していない。
直進溝１１Ｂは、光軸ＯＡと平行に（Ｚ軸方向に）形成されている。この直進溝１１Ｂには、後述する直進筒１３における直進案内突起１３Ｃが、摺動移動可能に嵌合している。
【００２２】
固定筒１１の内周側には、回転筒１２が配設されている。
回転筒１２の外周には、回転筒駆動ヘリコイド溝１１Ａに摺動移動可能に嵌合する駆動ピン１２Ａが突設されている。
回転筒１２の背面側端部の外周には、駆動入力ギア１２Ｂが形成されており、この駆動入力ギア１２Ｂは、図３に示すズームモータ１０１と連繋している。これにより、回転筒１２は、ズームモータ１０１によって回転駆動されるようになっている。
【００２３】
また、回転筒１２の内周面には、後述するカム筒１７を移動操作すると共にその移動を案内する直進連動溝１２Ｃが形成されている。
直進連動溝１２Ｃは、光軸ＯＡと平行に形成されている。直進連動溝１２Ｃは、周方向に所定間隔で３条形成されている。直進連動溝１２Ｃには、後述するカム筒１７に植設されたフォロアピン１７Ａが摺動移動可能に嵌合している。
【００２４】
さらに、回転筒１２の内周面には、３群レンズ枠３０を移動操作する３群カム溝１２Ｄが形成されている。
３群カム溝１２Ｄは、図７（ｂ）に示すように、光軸ＯＡに対して所定の角度を有して変位する形状に形成されている。この３群カム溝１２Ｄには、後述する３群レンズ枠３０に突設された３群カムフォロア３３が摺動移動可能に嵌合している。なお、図７（ｂ）中における、１２ＤＳは沈胴状態、１２ＤＷは撮影待機状態（すなわち広角側）、１２ＤＴは望遠側、においてそれぞれ３群カムフォロア３３が嵌合する位置である。
【００２５】
上記のように構成された回転筒１２は、伸縮ズームモータ１０１によって回転駆動されると、その駆動ピン１２Ａが嵌合する固定筒１１の回転筒駆動ヘリコイド溝１１Ａによって直進操作される。
また、回転筒１２は、その回転および直進移動によって、３群カム溝１２Ｄが３群カムフォロア３３を介して３群レンズ枠３０を直進移動操作する。この３群カム溝１２Ｄの形状と３群レンズ枠３０の移動操作ついては、後に詳述する。
【００２６】
回転筒１２の内周側には、直進筒１３が配設されている。
直進筒１３は、図６に示すように、回転筒１２の内周に摺動移動可能に嵌合する円筒状部材であって、回転筒１２に対して相対回転可能且つ直進方向には相対移動不能に構成されている。
直進筒１３の内周には、直進溝１３Ａが光軸ＯＡと平行に形成されている。この直進溝１３Ａには、後述する1群直進筒１４の外周に設けられた直進ガイドが摺動移動可能に嵌合している。
【００２７】
また、直進筒１３には、カム孔１３Ｂが形成されている。図８（ａ）は直進筒１３の内周面の展開図、（ｂ）はカム筒１７の内周面の展開図である。
カム孔１３Ｂは、図８（ａ）に示すように、光軸ＯＡに対して所定の角度を有して変位する形状に形成されており、当該直進筒１３を径方向内外に貫通している。カム孔１３Ｂには、後述するカム筒１７のフォロアピン１７Ａが摺動移動可能に嵌合している。なお、図８（ａ）中における、１３ＢＳは沈胴状態、１３ＢＷは撮影待機状態（すなわち広角側端）、１３ＢＴは望遠側端においてそれぞれフォロアピン１７Ａが嵌合する位置である。
直進筒１３の背面側の端部には、直進案内突起１３Ｃが外周側に突設されている。直進案内突起１３Ｃは、固定筒１１の直進溝１１Ｂに摺動移動可能に嵌合している。
【００２８】
さらに、直進筒１３には、背面側に開放する光軸ＯＡと平行な３群直進スリット１３Ｄが、周方向に３カ所形成されている。この３群直進スリット１３Ｄには、後述する３群レンズ枠３０のフォロアアーム３２Ａが摺動移動可能に嵌合している。
上記のように構成された直進筒１３は、その直進案内突起１３Ｃが固定筒１１の直進溝１１Ｂに嵌合している。また、直進筒１３には、その外周面に突起１３Ｆが設けられ、一方、回転筒１２の内周面には、円周に沿った溝部１２Ｅが設けられている。このため、回転筒１２が回転しつつ直進移動するのに伴って、直進筒１３は、回転することなく回転筒１２と共に直進移動する。
【００２９】
直進筒１３の内周側には、1群直進筒１４が配設されている。
1群直進筒１４は、直進筒１３の内周に摺動移動可能に嵌合する円筒状部材である。1群直進筒１４の内周には、直進ガイド溝１４Ｂが形成されている。直進ガイド溝１４Ｂは、光軸ＯＡと平行に形成されており、この直進ガイド溝１４Ｂには、後述するバリア筒１５の外周に突設されたガイド突起１５Ａが摺動移動可能に嵌合している。
【００３０】
上記のように構成された1群直進筒１４は、後述するカム筒１７に対して相対回転可能且つ光軸ＯＡ方向には移動不能に設けられており、その直進ガイド１４Ａが直進筒１３の直進溝１３Ａに嵌合しているため、回転することなくカム筒１７と共に直進移動する。
【００３１】
1群直進筒１４の内周には、バリア筒１５が配設されている。
バリア筒１５は、1群直進筒１４の内周に摺動移動可能に嵌合し、バリア羽根６１を開閉するバリア機構６０を構成している。
バリア筒１５の外周には、ガイド突起１５Ａが突設されている。ガイド突起１５Ａは、1群直進筒１４の直進ガイド溝１４Ｂに摺動移動可能に嵌合している。
バリア筒１５の内周には、後述する１群レンズ室１６の外周に形成された図示しないガイド突条が摺動移動可能に嵌合している。
【００３２】
また、バリア筒１５の内周背面側端部近傍には、被駆動キー１５Ｃが突設されている。この被駆動キー１５Ｃは、後述するカム筒１７の外周に形成されたバリア筒ヘリコイド溝１７Ｂに摺動移動可能に嵌合している。
【００３３】
上記のように構成されたバリア筒１５は、そのガイド突起１５Ａが1群直進筒１４の直進ガイド溝１４Ｂに嵌合しているため、回転することなく、その被駆動キー１５Ｃが嵌合するカム筒１７のバリア筒ヘリコイド溝１７Ｂによって操作され、カム筒１７の回転に伴って直進移動する。
【００３４】
バリア筒１５の内周側には、１群レンズ室１６が配設されている。１群レンズ室１６は、第１レンズ群Ｌ１を支持している。
１群レンズ室１６は、回転することなくカム筒１７の回転に伴って直進移動する。
【００３５】
１群レンズ室１６の内周側には、カム筒１７が配設されている。
カム筒１７は、図６に示すように、１群レンズ室１６の内周に摺動移動可能に嵌合する略円筒状部材である。
カム筒１７の背面側端部近傍の外周には、フォロアピン１７Ａが突設されている。フォロアピン１７Ａは、直進筒１３のカム孔１３Ｂに摺動移動可能に嵌合してこれを貫通し、その先端が回転筒１２の直進連動溝１２Ｃに摺動移動可能に嵌合している。
また、カム筒１７の外周には、バリア筒ヘリコイド溝１７Ｂが形成されている。バリア筒ヘリコイド溝１７Ｂには、バリア筒１５の被駆動キー１５Ｃが摺動移動可能に嵌合している。
【００３６】
さらに、カム筒１７の内周には、２群駆動カム溝１７Ｄが形成されている。
２群駆動カム溝１７Ｄは、図８（ｂ）に示すように、光軸ＯＡに対して所定の角度を有して変位する形状に形成されている。この２群駆動カム溝１７Ｄには、後述する２群レンズ室１８の外周に突設された２群カムフォロア１８Ａが摺動移動可能に嵌合している。なお、図８（ｂ）中における、１７ＤＳは沈胴状態、１７ＤＷは撮影待機状態（すなわち広角側端）、１７ＤＴは望遠側端、においてそれぞれ２群カムフォロア１８Ａが嵌合する位置である。
【００３７】
カム筒１７は、回転筒１２の回転によって、そのフォロアピン１７Ａが回転筒１２の直進連動溝１２Ｃによって回転操作されると共に、直進筒１３のカム孔１３Ｂによって直進操作される。つまり、カム筒１７は、回転筒１２の回転に伴って、回転しつつ直進移動する。
【００３８】
また、カム筒１７は、その回転・直進移動により、バリア筒ヘリコイド溝１７Ｂに嵌合した被駆動キー１５Ｃを介してバリア筒１５を移動操作し、また、１群レンズ室１６及び２群レンズ室１８を移動操作する。
【００３９】
カム筒１７の内周側には、２群レンズ室１８が配設されている。また、カム筒１７に背面側の端部には、直進キー２０が配設されている。
２群レンズ室１８は、図６に示すように、全体形状がカム筒１７の内周に摺動移動可能に嵌合する略円筒状部材あり、その内周に第２レンズ群Ｌ２を保持している。
【００４０】
２群レンズ室１８の外周には、直進案内溝１８Ｂが形成されている。この直進案内溝１８Ｂには、カム筒１７の背面側に配設された直進キー２０のキー部２２が摺動移動可能に嵌合している。
【００４１】
上記のように構成された２群レンズ室１８は、カム筒１７によって操作され、直進案内溝１８Ｂに後述する直進キー２０のキー部２２が嵌合していることから、回転することなくカム筒１７の回転に伴って直進移動する。
【００４２】
直進キー２０は、カム筒１７の背面側端部に、回転可能且つ光軸ＯＡ方向には移動不能に装着されている。図９は、直進キー２０と３群レンズ枠３０との関係を示す斜め前面側から見た分解斜視図であって、（ａ）は撮影待機状態、（ｂ）は沈胴状態を示す。図１０は、直進キー２０と３群レンズ枠３０との関係を示す斜め背面側から見た分解斜視図である。
【００４３】
直進キー２０は、図９，１０に示すように、円環状の基部環２１に、キー部２２と嵌合突起２３とを備えて形成されている。
さらに直進キー２０の基部環２１の外周には、キー側凸部２１Ｅ(図１,２,９参照）が設けられている。一方、カム筒１７に植設されたフォロアピン１７Ａの内径側には、そのキー側凸部２１Ｅとバヨネット結合するカム側バヨネット凹部１７Ｅ(図１,２参照）が設けられ、カム側バヨネット凹部１７Ｅとキー側凸部１９Ｅとはバヨネット結合している。このため、直進キー２０はカム筒１７とともに光軸方向に移動するが、直進キー溝１３Ｄと直進嵌合部１９Ａとの嵌合により回転が防止されている。
また、直進キー２０は、沈胴状態において後述する３群レンズ枠３０に設けられた３群レンズ室３００をスライド退避操作する連動ピン７０を備えている。
【００４４】
キー部２２は、板状であって、基部環２１の内周縁から前面側に所定長さで突出形成されている。キー部２２は、周方向に等間隔で２カ所配設されている。このキー部２２は、２群レンズ室１８の直進案内溝１８Ｂ（図６に示す）に摺動移動可能に嵌合している。
【００４５】
嵌合突起２３は、板状であって、基部環２１の外周縁から径方向外周側に突出形成されている。嵌合突起２３は、周方向に等間隔で３カ所配設されている。この嵌合突起２３は、直進筒１３の突起嵌合溝１３Ｅに摺動移動可能に嵌合している。
連動ピン７０は、基部環２１の外周縁に背面側に向けて突設された支持部２４に装着されて、直進キー２０の背面側に突出して設けられている。
【００４６】
上記のように構成された直進キー２０は、その嵌合突起２３が直進筒１３の突起嵌合溝１３Ｅに摺動移動可能に嵌合しているため、カム筒１７の光軸ＯＡ方向の移動に伴って、回転することなく直進移動する。また、そのキー部２２は、前述した２群レンズ室１８の直進移動を案内する。
また、連動ピン７０は、沈胴状態時において後述する３群レンズ枠３０に設けられた３群レンズ室３００の第1操作部３１０にその前面側から当接し、３群レンズ室３００をスライド退避操作する。この連動ピン７０の構成および作用については、後に詳述する。
【００４７】
２群レンズ室１８及び直進キー２０の背面側には、３群レンズ枠３０が配設されている。
３群レンズ枠３０は、短い円筒状の収容室３１の背面側端部外周に、円盤状のフランジ３２を備えて構成されている。収容室３１の内部には、第３レンズ群Ｌ３を保持する３群レンズ室３００が設けられている。
【００４８】
収容室３１は、直進キー２０の基部環２１の内周に遊嵌可能な外径であって、その前面側には、中央に透光開口部を備える前面壁３１Ａが形成されている。
フランジ３２の外周には、フォロアアーム３２Ａが周方向に等間隔で３カ所（１２０°間隔で）前面側に向けて延設されている。フォロアアーム３２Ａの先端部外周には３群カムフォロア３３が突設されている。フォロアアーム３２Ａは、直進筒１３の３群直進スリット１３Ｄに摺動移動可能に嵌合している。また、３群カムフォロア３３は、回転筒１２の内周面に形成された３群カム溝１２Ｄに摺動移動可能に嵌合している。
【００４９】
上記のように構成された３群レンズ枠３０は、そのフォロアアーム３２Ａが直進筒１３の３群直進スリット１３Ｄに嵌合しているために回転が規制され、回転筒１２が回転するとその３群カム溝１２Ｄによって３群カムフォロア３３が移動操作されて、直進移動する。
【００５０】
図１１は、３群レンズ室３００を前面側から見た斜視図である。図１２は、３群レンズ室のスライド退避移動を説明する、３群レンズ枠を背面側から見た図である。
３群レンズ室３００は、図１１に最も良く示すように、第３レンズ群Ｌ３を保持する円筒状の保持枠３０１と、その外周から径方向に延設された所定長さのアーム３０２とを備えている。
【００５１】
保持枠３０１には、３群光軸調整ピン３２０が、背面側から回転操作可能に設けられている(図５参照）。アーム３０２の先端には、３群回転軸部３０３が形成されている。３群回転軸部３０３の背面側端部は、小径のバネ保持部３０５となっている。また、３群回転軸部３０３には、沈胴状態において直進キー２０の連動ピン７０によって押圧操作される第1操作部３１０が形成されている。
【００５２】
３群レンズ室３００は、３群回転軸部３０３が収容室３１に設けられた支持軸３４に、回転可能かつ軸方向に所定量移動可能に嵌合している。支持軸３４は、収容室３１に光軸ＯＡと平行に設けられている。
これにより、３群レンズ室３００は、支持軸３４を中心とする回動によって、その保持した第３レンズ群Ｌ３の中心が光軸ＯＡと一致する図１２（ａ）に示す撮影位置と、この撮影位置からＹ軸プラス方向に移動した図１２（ｂ）に示す退避位置との間を回動（スライド移動）し得るようになっている。
【００５３】
また、３群レンズ室３００は、バネ保持部３０５に挿入されたスプリング３５(図９，１０参照）によって撮影位置側に付勢されている。３群レンズ室３００における撮影位置は、３群光軸調整ピン３２０が、収容室３１の内部に形成された位置決め当接部３１Ｄに当接することで規定されるようになっている。つまり、３群光軸調整ピン３２０が位置決め当接部３１Ｄ(図１０，１２参照）に当接して、スプリング３５の付勢力による回動が規制された位置が、３群レンズ室３００における撮影位置である。３群レンズ室３００は、自由状態ではこの撮影位置にある。
【００５４】
３群光軸調整ピン３２０は、偏心軸３２１を偏倚した軸として回転するいわゆる偏心ピンである。
偏心軸３２１は保持枠３０１に回転可能に設けられている。そして、３群光軸調整ピン３２０は、図４に示すように３群レンズ室３００が退避位置にある状態で、背面板１２０に開口形成された３群光軸調整孔１２３と対応し、レンズユニット１００の背面側から３群光軸調整孔１２３を介してドライバー等によって回転操作できるようになっている。
３群光軸調整ピン３２０が、偏心軸３２１回りに回転すると、当接部３１Ｄへの当接位置関係が変化する。これにより、３群光軸調整ピン３２０を回転操作することによって、光軸ＯＡと直交する面内で移動させて、第３レンズ群Ｌ３の撮影位置を光軸直交方向（Ｚ軸直交面）にシフト調整できる。
【００５５】
つぎに、直進キー２０に設けられた連動ピン７０と、この連動ピン７０によって回動操作される３群レンズ枠３０に設けられた３群レンズ室３００の構成および作用について、詳細に説明する。
【００５６】
連動ピン７０は、図１０に示すように、基部７１の一方に円柱状の固定軸７２、他方にピン操作部７３を備え、金属によって形成されている。そして、連動ピン７０は、固定軸７２が支持部２４の装着孔２４Ａに内周側から嵌挿されて外周側の突出部がカシメられ、これによって支持部２４に固定されている。
【００５７】
連動ピン７０の基部７１は、円板部材をその径方向を径より狭い平行な２面でカットした樽形を呈している。基部７１における前面側のカット面７１Ａは、当該連動ピン７０が支持部２４に装着された状態において基部環２１の背面に沿って当接するように設定されている。このカット面７１Ａの基部環２１への当接によって、連動ピン７０の固定軸７２を中心とした回転方向のガタ付きが防がれるようになっている。
ピン操作部７３は、概略角柱状であってその角部がＲ状に面取りされている。また、ピン操作部７３の前面側は、切り欠かれている。
【００５８】
一方、３群レンズ室３００における３群回転軸部３０３には、図１１に示すように、その外周側（アーム３０２と逆側）に第1操作部３１０が突設され、前面側の端面には第２操作部３３０が形成されている。
【００５９】
第1操作部３１０は、３群回転軸部３０３の周囲に径方向に所定の厚さを有して所定角度範囲に形成されており、その前面側の端面が操作面３１１となっている。
操作面３１１は、前面側から見て（図１２（ａ）において）、支持軸３４を中心として反時計回りで周方向に行く程、光軸ＯＡ方向背面側に漸次変化する所定角度の傾斜面となっている。つまり、操作面３１１は、支持軸３４を中心とする螺旋状を成している。
【００６０】
この第1操作部３１０は、図９に示すように、収容室３１における対応する前面側部位に形成された操作開口部３１Ｃを介して、前面側に露出している。
そして、第1操作部３１０の操作面３１１は、撮影待機状態から沈胴状態に至る過程において、直進キー２０に設けられた連動ピン７０のピン操作部７３によって押圧操作される。
【００６１】
つまり、連動ピン７０のピン操作部７３が、前面側から背面側に移動して第1操作部３１０の操作面３１１に当接し、これを押圧操作するようになっている。操作面３１１は、連動ピン７０によって前面側から押圧されると、その傾斜によって支持軸３４を中心として３群回転軸部３０３を回転させる。その結果、３群回転軸部３０３が支持軸３４を中心として回転操作されることとなり、３群レンズ室３００が支持軸３４を中心として回動する
そして３群レンズ室３００は、図１２（ａ）で示す撮影待機状態では、その保持した第３レンズ群Ｌ３の中心が光軸ＯＡと一致する撮影位置にあるが、図１２（ｂ）で示す沈胴状態では、退避位置にスライド移動する。
【００６２】
また、第３レンズ室３００の第２操作部３３０は、３群レンズ室３００における３群回転軸部３０３の前面側の端面に突設された、被操作突起３３１(図１１）を備えている。図１３（ａ）は３群レンズ室を前面側から見た図、（ｂ）は（ａ）のＣ‐Ｃ線断面と対応する図である。図１４は３群レンズ枠３０を背面側から見た図である。図１５は図１３（ｂ）における矢視Ｄで示す部分の周囲を展開して示す図である。
【００６３】
被操作突起３３１は、所定高さの突起であって、所定角度範囲の円弧状に形成されて、周方向に間隔を有して２箇所設けられている。被操作突起３３１の前面側から見て（図１３（ａ）において）時計回り前方側の端部は、３群回転軸部３０３の前面側の端面に対して直角より小さい所定角度を有する乗り上げ斜面３３２となっている。被操作突起３３１の上面は、３群レンズ室３００の回動軸（支持軸３４の中心軸）と直交する平面となっている。
【００６４】
第２操作部３３０は、スプリング３５における中心軸方向の弾性復帰力で、３群レンズ枠３０の収容室３１における装着ボス３１Ｅに押圧付勢される。
装着ボス３１Ｅには、光軸ＯＡ方向において所定高さの操作突起３１Ｅａが突設されている。操作突起３１Ｅａは、３群回転軸部３０３における被操作突起３３１の間に嵌る扇状であって、被操作突起３３１の間と対応して２箇所形成されている。操作突起３１Ｅａの背面側から見て（図１４において）反時計回り前方側の端部は、被操作突起３３１における乗り上げ斜面３３２と対応する傾斜の操作斜面３１Ｅｂとなっている。操作突起３１Ｅａの上面は、３群レンズ室３００の回動軸（支持軸３４）と直交する平面となっている。
【００６５】
３群レンズ室３００が撮影位置では、図１５（ａ）に示すように、第２操作部３３０における被操作突起３３１の間に、装着ボス３１Ｅにおける光軸方向操作突起３１Ｅａが嵌る。そして、３群レンズ室３００が退避位置に向けて回動（図１５（ａ）における矢印で示す方向に移動）すると、第２操作部３３０における乗り上げ斜面３３２が、装着ボス３１Ｅにおける操作斜面３１Ｅｂに当接して、図１５（ｂ）に示すように、第２操作部３３０における被操作突起３３１が、装着ボス３１Ｅにおける光軸方向操作突起３１Ｅａに対応する（乗り上げる）。これにより、３群レンズ室３００が退避位置では、第２操作部３３０が、３群レンズ室３００を、光軸方向操作突起３１Ｅａの高さ分、装着ボス３１Ｅに対して相対的に背面側に移動するようになっているものである。光軸方向操作突起３１Ｅａの高さは、前述したシャッターユニット５０における開口内縁５１に対する前面側への突出量より大きく設定されている。
【００６６】
上記のように構成された第１操作部３１０と第２操作部３３０とを備える３群レンズ室３００は、レンズ鏡筒１０が撮影待機状態から沈胴状態に至る過程において、第１操作部３１０が直進キー２０に設けられた連動ピン７０によって押圧操作され、これによって下記のように作用して撮影位置から退避位置に回動する。
【００６７】
すなわち、第１操作部３１０における操作面３１１が、直進キー２０に設けられた連動ピン７０によって前面側から押圧されると、その傾斜によって生ずる分力によって３群回転軸部３０３（３群レンズ室３００）が支持軸３４を中心として背面側から見て（図１２（ａ）において）反時計回りに回動する。この３群回転軸部３０３が回転する際には、その回転開始と共に第２操作部３３０における被操作突起３３１が装着ボス３１Ｅにおける光軸方向操作突起３１Ｅａに乗り上げ、３群回転軸部３０３はスプリング３５の付勢力に抗して支持軸３４の軸方向背面側に移動操作される。つまり、３群レンズ室３００は、その回動初期において装着ボス３１Ｅにおける光軸方向操作突起３１Ｅａの高さ分背面側に移動する。光軸方向操作突起３１Ｅａの高さは、前述したように、第３レンズ群Ｌ３の前面の、シャッターユニット５０における開口内縁５１に対する前面側への突出量より大きく設定されており、これによって回動時における、第３レンズ群Ｌ３の前面と開口内縁５１との干渉を回避できる。
【００６８】
その後、さらに操作面３１が連動ピン７０によって押圧され、３群レンズ室３００は、装着ボス３１Ｅにおける光軸方向操作突起３１Ｅａの高さ分背面側に移動した状態で、さらに回動して退避位置に至る。
すなわち、３群レンズ室３００は、直進キー２０に設けられた連動ピン７０によって押圧操作されて、光軸ＯＡ方向背面側に所定量移動すると共に、撮影位置から退避位置へとスライド移動するものである。
【００６９】
また、連動ピン７０が、３群レンズ室３００における第１操作部３１０を押圧する方向は、スプリング３５の圧縮軸方向と同方向（すなわち光軸ＯＡと平行な方向）である。このため、連動ピン７０の操作部７３が第１操作部３１０の操作面３１１に当接した際における衝撃を、スプリング３５の軸方向における弾性変形で緩衝することができる。
【００７０】
レンズ鏡筒１０が撮影待機状態から沈胴状態に伸長する際には、上記とは逆に作用して、連動ピン７０の操作部７３による、第１操作部３１０における操作面３１の押圧操作が解除され、３群レンズ室３００はスプリング３５の弾性復帰力で退避位置から自由位置である撮影位置に回動復帰すると共に第２操作部３３０における被操作突起３３１の間に装着ボス３１Ｅにおける光軸方向操作突起３１Ｅａが嵌り、前面側に移動して所定位置となる。
【００７１】
次に、第３レンズ枠３０の背面側に設けられた、４群レンズ室４０について説明する。
４群レンズ室４０は、図５及び図６に示すように、支持アーム４２の先端に第４レンズ群Ｌ４を保持する略円環状の保持枠４１を備えると共に、支持アーム４２の他端に４群回転軸部４３を備えている。
また、４群レンズ室４０は、４群回転軸部４３から、支持アーム４２に対して所定の角度を成して延設された所定長さの調整アーム４４を備えている。調整アーム４４の先端には、外方に開放する嵌合スリット４４Ａが形成されている。
【００７２】
４群レンズ室４０は、その４群回転軸部４３がユニット筐体１１０に配設されたガイド軸１３０に摺動移動可能に嵌合すると共に、調整アーム４４の嵌合スリット４４Ａに４群位置決めピン１４０の操作軸部１４２がガタ付くことなく摺動回転可能に嵌合して設けられている。
ガイド軸１３０および４群位置決めピン１４０は、ユニット筐体１１０における機構収容部１１１に配設されている。
ガイド軸１３０は、光軸ＯＡと平行に配設されており、これによって４群レンズ室４０は、ガイド軸１３０を中心として光軸ＯＡと直交する面内で回転可能、且つ、ガイド軸１３０に沿って光軸ＯＡ方向に所定範囲で移動可能となっている。
【００７３】
４群位置決めピン１４０は、いわゆる偏心ピンであり、背面板１２０に開口形成された４群光軸調整孔１２４と対応している。上記のように構成された４群レンズ室４０は、４群位置決めピン１４０がそのガイド軸１３０を中心とする回動を規制している。４群位置決めピン１４０は偏心ピンであるため、回転させることによりその位置がその回転軸と直交する面内で変位し、４群レンズ室４０はガイド軸１３０を中心として回動する。
【００７４】
その結果、４群レンズ室４００が保持する第４レンズ群Ｌ４の中心位置が変化する。すなわち第４レンズ群Ｌ４の中心が光軸ＯＡからズレている状態から、４群位置決めピン１４０を所定角度回転操作することで、第４レンズ群Ｌ４の中心を光軸ＯＡと一致させることができる。つまり、４群位置決めピン１４０の回転操作によって、４群レンズ室４０が保持する第４レンズ群Ｌ４を光軸ＯＡと直交する面内で移動させて、光軸調整を行うことができる。
【００７５】
４群位置決めピン１４０は、前述したように背面板１２０に開口形成された４群光軸調整孔１２４と対応しており、光軸調整に係る４群位置決めピン１４０の回転操作は、レンズユニット１００の背面側から、４群光軸調整孔１２４を介してドライバー等によって行うことができる。
【００７６】
つぎに、レンズ鏡筒１０が撮影待機状態から沈胴状態に収縮する際における、カム筒１７と３群レンズ枠３０の移動について説明する。
前述したように、レンズ鏡筒１０が撮影待機状態から沈胴状態に収縮する際において、カム筒１７と３群レンズ枠３０とは移動量が異なる。つまり、カム筒１７と３群レンズ枠３０とは、撮影待機状態から沈胴状態に至る移動速度が異なる。これにより、沈胴状態に至る過程において、後退移動する直進キー２０がその速度の違いによって３群レンズ枠３０に追い付いて、直進キー２０に設けられた連動ピン７０が、３群レンズ室３００の第１操作部３１０を操作して３群レンズ室３００を退避位置にスライド移動させる。
【００７７】
ここで、３群レンズ枠３０は、レンズ鏡筒１０における主要構成要素の撮影待機状態から沈胴状態への移動を説明する概念図である図１８に示すように、その移動速度が一定でなく、沈胴状態に至る過程の初期段階において、３群レンズ枠３０と直進キー２０とが接近して連動ピン７０が、３群レンズ室３００の第１操作部３１０（３群レンズ枠３０）を操作するように設定されている。
【００７８】
３群レンズ枠３０の移動操作は、前述したように、その３群カムフォロア３３が摺動移動可能に嵌合する回転筒１２における３群カム溝１２Ｄによって行われる。
３群カム溝１２Ｄは、図６および図７（ｂ）に示すように、撮影待機状態において３群カムフォロア３３が嵌合する広角側位置１２ＤＷと、沈胴状態において３群カムフォロア３３が嵌合する沈胴位置１２ＤＳとの間に、前面側に突出するように屈曲した屈曲突出部１２ＤＢを備えた経路形状となっている。
【００７９】
これにより、撮影待機状態から沈胴状態に至る過程において、３群カムフォロア３３が３群カム溝１２Ｄの撮影待機状態（広角側位置１２ＤＷ）から屈曲突出部１２ＤＢまでの間を移動する初期段階では、３群レンズ枠３０の後退速度は、一定速度で後退したと仮定した場合に比較して遅くなる。その結果、直進キー２０と３群レンズ枠３０の相対的な接近速度が速まり、後退開始後早い段階で連動ピン７０が３群レンズ室３００の第１操作部３１０を操作して３群レンズ室３００を退避位置にスライド移動操作することができるようになっている。
【００８０】
すなわち、３群レンズ枠３０の後退速度（単位時間当たりの移動量）は、図１６中における線３１０Ｍで示すように、撮影待機状態から沈胴状態に至る過程の初期段階では遅く、後期段階では速く、最終的に他の構成要素と同じタイミングで沈胴状態における位置に移動するように設定されている。なお、図１６においては、各構成要素の移動線の傾きが速度を表している（傾きが大きい程速度が速い）。
【００８１】
図１６において、連動ピン７０の後退移動を示す線７０Ｍと、第１操作部３１０（３群レンズ枠３０）の後退移動を示す線３１０Ｍとが交わる位置が、本実施形態において連動ピン７０と第１操作部３１０とが接触する退避開始位置Ｐである。また、連動ピン７０の後退移動を示す線７０Ｍと、第１操作部３１０（３群レンズ枠３０）の後退速度を一定と仮定した後退移動を示す線３１０Ｍ′とが交わる位置が、３群レンズ枠３０が一定速度で後退した場合における仮想退避開始位置Ｐ′である。
【００８２】
仮想退避開始位置Ｐ′では、連動ピン７０と第１操作部３１０の接触が遅く、３群レンズ室３００の保持する第３レンズ群Ｌ３（図１６中Ｌ３Ｐ′で示す）と、４群レンズ室４０の保持する第４レンズ群Ｌ４（図１６中Ｌ４Ｐ′で示す）とが干渉してしまう。一方、本構成における退避開始位置Ｐでは第３レンズ群Ｌ３（図１６中Ｌ３Ｐで示す）と第４レンズ群Ｌ４（図１６中Ｌ４Ｐで示す）とが光軸ＯＡ方向に離間している早い段階で、３群レンズ室３００を退避位置にスライド移動操作することができる。
【００８３】
このような構成によれば、撮影待機状態から沈胴状態に至る過程の早い段階で、３群レンズ室３００を退避位置にスライド移動操作して第３レンズ群Ｌ３と第４レンズ群Ｌ４の干渉を回避することができ、第３レンズ群Ｌ３と第４レンズ群Ｌ４との位置設定の自由度が高く、光学系の小型化と高い光学性能の両立が可能となる。
【００８４】
以上、本実施形態によると、以下の効果を有する。
（１）レンズユニット１００では、撮影待機状態から沈胴状態に至る過程において、３群レンズ室３００の第１操作部３１０が、その前面側に配設された直進キー２０に設けられた連動ピン７０によって前面側から押圧操作されて、撮影位置から退避位置にスライド移動する。これにより、３群レンズ室３００を退避位置に移動操作する部材をたとえば撮像素子２１０側から突設する構成に比較してコンパクトに構成することができる。その結果、レンズユニット１００を小型軽量且つ低コストに構成することが可能となる。
【００８５】
（２）レンズユニット１００では、３群レンズ室３００が撮影位置から退避位置にスライド移動する初期段階において、第２操作部３３０における被操作突起３３１が装着ボス３１Ｅにおける光軸方向操作突起３１Ｅａに乗り上げ、背面側に移動操作される。これにより、回動時における、第３レンズ群Ｌ３の前面とシャッターユニット５０の開口内縁５１との干渉を回避できる。その結果、作用状態において、スライド退避する第３レンズ群Ｌ３とシャッターユニット５０とを光軸ＯＡ方向に接近させた設定とすることができ、小型化が可能となる。
【００８６】
（３）レンズユニット１００では、３群レンズ室３００を撮影位置から退避位置にスライド移動操作する際に、連動ピン７０が、３群レンズ室３００における第１操作部３１０を押圧操作する方向は、スプリング３５の圧縮軸方向と同方向である。このため、連動ピン７０の操作部７３が第１操作部３１０の操作面３１１に当接した際における衝撃を、スプリング３５の軸方向における弾性変形で緩衝することができる。これにより、連動ピン７０の第１操作部３１０への衝突や、衝突による振動に起因する不具合の発生を抑制することができる。
【００８７】
（４）レンズユニット１００において、３群レンズ室３００の第１操作部３１０を押圧して退避位置にスライド移動させる連動ピン７０は、基部７１に平坦なカット面７１Ａを備えており、このカット面７１Ａを直進キー２０に設けられた基部環２１の背面に沿って当接させて設けられている。このカット面７１Ａの基部環２１への当接によって、連動ピン７０の回転方向のガタ付きを防ぐことができ、安定した操作が可能となると共に高い耐久性が得られる。
【００８８】
（５）レンズユニット１００では、連動ピン７０を備える直進キー２０と、３群レンズ室３００を備える３群レンズ室３００とが、撮影待機状態から沈胴状態に至る過程で接近し、直進キー２０が３群レンズ室３００の第１操作部３１０を押圧して３群レンズ室３００を退避位置にスライド移動させる。３群レンズ枠３０を移動操作する回転筒１２における３群カム溝１２Ｄは、広角側位置１２ＤＷと、沈胴位置１２ＤＳとの間に、前面側に突出するように屈曲した屈曲突出部１２ＤＢを備えた経路形状となっている。これにより、広角側位置１２ＤＷから屈曲突出部１２ＤＢまでの間では、３群レンズ枠３０の後退速度が遅くなり、その結果、直進キー２０と３群レンズ枠３０の相対的な接近速度が速まって、早い段階で連動ピン７０が３群レンズ室３００の第１操作部３１０を操作して３群レンズ室３００を退避位置にスライド移動操作することができるようになっている。このような構成により、第３レンズ群Ｌ３と第４レンズ群Ｌ４の干渉を回避することができ、第３レンズ群Ｌ３と第４レンズ群Ｌ４との位置設定の自由度が高く、光学系の小型化と高い光学性能の両立が可能となる。
【００８９】
（変形形態）
以上、説明した実施形態に限定されることなく、以下に示すような種々の変形や変更が可能であり、それらも本発明の範囲内である。
（１）本実施形態では、３群レンズ室３００における第１操作部３１０の操作面３１１を、３群レンズ室３００の前面側に配設された直進キー２０が備える連動ピン７０によって前面側から押圧操作して、３群レンズ室３００を撮影位置から退避位置にスライド移動するように構成されている。しかし、操作面３１１と連動ピン７０の関係は逆であっても良い。すなわち、直進キー２０が備える傾斜した操作面で、３群レンズ室３００が備える連動ピンを押圧操作して、３群レンズ室３００をスライド移動させるように構成しても良いものである。
【００９０】
（２）上記実施形態は、本願発明をデジタルスチルカメラに適用した例である。本願発明における光学機器は、これに限らず、フィルムを用いるいわゆる銀塩スチルカメラ、ビデオカメラ、撮影機能付きの携帯電話等であっても良いものである。
【００９１】
なお、実施形態及び変形形態は、適宜組み合わせて用いることもできるが、詳細な説明は省略する。また、本発明は以上説明した実施形態によって限定されることはない。
【符号の説明】
【００９２】
１：カメラ、１０：レンズ鏡筒、１１：固定筒、１１Ａ：回転筒駆動ヘリコイド溝、１１ＡＳ：沈胴状態位置、１１ＡＷ：撮影待機状態位置、１２：回転筒、１２Ｄ：３群カム溝、１２ＤＢ：屈曲部、１２ＤＳ：沈胴状態位置、１２ＤＷ：撮影待機状態位置、１７：カム筒、２０：直進キー、３０：３群レンズ枠、３１Ｅ：装着ボス、３１Ｅａ：光軸方向操作突起、３１Ｅｂ：操作斜面、３４：支持軸、３５；スプリング、４０：４群レンズ室、４２：支持アーム、５０：シャッターユニット、５１：開口内縁、７０：連動ピン、７１：基部、７１Ａ：カット面、７２：固定軸、７３：操作部、１００：レンズユニット、２００：センサ部、２１０：撮像素子、３００：３群レンズ室、３０２：アーム、３１０：連動操作部、３１１：操作面、３３０：第２操作部、３３１：被操作突起、３３２：乗り上げ斜面、ＯＡ：光軸、Ｌ３，Ｌ３Ｐ，Ｌ３Ｐ′：第３レンズ群、Ｌ４，Ｌ４Ｐ，Ｌ４Ｐ′：第４レンズ群
【図１】
0005573198.tif 000002
【図２】
0005573198.tif 000003
【図３】
0005573198.tif 000004
【図４】
0005573198.tif 000005
【図５】
0005573198.tif 000006
【図６】
0005573198.tif 000007
【図７】
0005573198.tif 000008
【図８】
0005573198.tif 000009
【図９】
0005573198.tif 000010
【図１０】
0005573198.tif 000011
【図１１】
0005573198.tif 000012
【図１２】
0005573198.tif 000013
【図１３】
0005573198.tif 000014
【図１４】
0005573198.tif 000015
【図１５】
0005573198.tif 000016
【図１６】
0005573198.tif 000017